(57)【要約】【課題】二次電池の缶の高さは同一でも、内部の電極組立体の高さを高める。【解決手段】両電極及びセパレータを備えてなされる電極組立体２２と、電極組立体を受容できるように上部に開口部が形成された絶縁性缶１１と、電極組立体が外部に離脱しないように絶縁性缶の開口部を閉塞する絶縁性キャッププレート２００とを含む。【選択図】図３
2006128126.tif 000002
【特許請求の範囲】
【請求項１】
両電極及びセパレータを備えてなる電極組立体と、
前記電極組立体を受容できるように上部に開口部が形成されたケースと、
前記電極組立体が外部に離脱しないように前記開口部を閉塞する絶縁材質のキャッププレートを備えたキャップ組立体と、
を含んでなることを特徴とする二次電池。
【請求項２】
前記キャッププレートは、プラスチックで形成されたことを特徴とする請求項１記載の二次電池。
【請求項３】
前記キャッププレートは、アルミニウムに比べて機械的強度の高いエンジニアリングプラスチックで形成されたことを特徴とする請求項２記載の二次電池。
【請求項４】
前記キャッププレート及び前記ケースは、接着剤で結合されたことを特徴とする請求項１記載の二次電池。
【請求項５】
前記開口部の端部には前記キャッププレートと前記缶との接触面積を高めるように段差が形成されたことを特徴とする請求項１記載の二次電池。
【請求項６】
前記電極組立体には、前記両電極から外側に引出される電極タブが備えられ、前記キャッププレートには、前記電極タブ内の少なくとも１つが通過できるようにホールが形成されたことを特徴とする請求項１記載の二次電池。
【請求項７】
前記ホールと前記電極タブとの間の隙間は、封入剤で封入されたことを特徴とする請求項６記載の二次電池。
【請求項８】
前記電極組立体には、前記両電極から外側に引出される電極タブが備えられ、前記電極タブ内の少なくとも１つは、前記ケースと前記キャッププレートとの間から前記ケースの外側に伸びていることを特徴とする請求項１記載の二次電池。
【請求項９】
前記キャッププレートは周縁部に前記電極タブの引出しのための溝が形成されて、前記溝は前記キャッププレートが前記ケースと結合した状態で電池の内部と外部とを連結する連結ホールをなすことを特徴とする請求項８記載の二次電池。
【請求項１０】
前記連結ホールと前記溝と前記ケースとの間を通過した前記電極タブ間の隙間は封入剤で封入されることを特徴とする請求項９記載の二次電池。
【請求項１１】
前記封入剤は、エポキシ樹脂であることを特徴とする請求項６、または、１０記載の二次電池。
【請求項１２】
両電極及びセパレータを備えてなる電極組立体と、
前記電極組立体を受容できるように上部に開口部が形成された絶縁材質のケースと、
前記電極組立体が外部に離脱しないように前記開口部を閉塞する絶縁材質のキャッププレートを基本的に備えたキャップ組立体と、
を含んでなることを特徴とする二次電池。
【請求項１３】
前記キャッププレート及び前記ケースは、プラスチックで形成されたことを特徴とする請求項１２記載の二次電池。
【請求項１４】
前記プラスチックはアルミニウムに比べて機械的強度の高いエンジニアリングプラスチックであることを特徴とする請求項１３記載の二次電池。
【請求項１５】
前記キャッププレート及び前記ケースは、接着剤で結合したことを特徴とする請求項１２記載の二次電池。
【請求項１６】
前記キャッププレートと前記ケースとは熱融着されて相互結合したことを特徴とする請求項１２記載の二次電池。
【請求項１７】
前記開口端部には、前記キャッププレートと前記ケースとの接触面積を高めて接着力を高めることができるように段差が形成されたことを特徴とする請求項１２記載の二次電池。
【請求項１８】
前記電極組立体には前記両電極から外側に引出される電極タブが備えられ、前記キャッププレートには前記電極タブの内の少なくとも１つが通過できるようにホールが形成されたことを特徴とする請求項１２記載の二次電池。
【請求項１９】
前記ホールと前記電極タブとの間の隙間は、封入剤により封入されたことを特徴とする請求項１８記載の二次電池。
【請求項２０】
前記電極組立体には前記両電極から外側に引出される電極タブが備えられ、前記電極タブの内の少なくとも１つは前記ケースと前記キャッププレートとの間から前記ケース外側に伸びていることを特徴とする請求項１２記載の二次電池。
【請求項２１】
前記キャッププレートは周縁部に前記電極タブ中の少なくとも１つを引出のための溝が形成され、前記溝は前記キャッププレートが前記ケースと結合した状態で電池の内部と外部とを連結する連結ホールをなすことを特徴とする請求項２０記載の二次電池。
【請求項２２】
前記連結ホールと前記溝と前記ケースとの間を通過した前記電極タブ間の隙間は封入剤で封入されることを特徴とする請求項２１記載の二次電池。
【請求項２３】
前記封入材は、エポキシ樹脂であることを特徴とする請求項１９、または、２２記載の二次電池。
【請求項２４】
前記ケースと前記キャッププレートは、同一な材質からなることを特徴とする請求項１２記載の二次電池。
【発明の詳細な説明】
【背景技術】
【０００１】
二次電池は、再充電可能であり、小型及び大容量化が可能であることから、最近では多くの研究開発が成されている。最近開発され使われているものの代表としては、ニッケル水素（Ｎｉ−ＭＨ）電池、リチウム（Ｌｉ）電池及びリチウムイオン（Ｌｉ−ｉｏｎ）電池などがある。
【０００２】
これら二次電池の大部分は、電極（即ち、正極及び負極）及びセパレータからなる電極組立体を、通常、アルミニウム、または、アルミニウム合金からなる缶に受納し、缶をキャップ組立体で仕上げた後、缶の内部に電解液を注入し、封入することにより形成される。缶は鉄材で形成されることができるが、アルミニウム、または、アルミニウム合金で形成することになると、アルミニウムの重量は軽いことから、電池の軽量化がなされることができ、高電圧下で長時間使用しても腐食しない等の利点がある。
【０００３】
封入した単位セルは、ＰＴＣ素子（ｐｏｓｉｔｉｖｅ  ｔｅｍｐｅｒａｔｕｒｅ  ｃｏｅｆｆｉｃｉｅｎｔ）、サーマルフューズ（ｔｈｅｒｍａｌ  ｆｕｓｅ）及び保護回路基板（ＰＣＭ：Ｐｒｏｔｅｃｔｉｖｅ  Ｃｉｒｃｕｉｔ  Ｍｏｄｕｌｅ）などの安全装置及びその他、電池附属らと連結された状態で別途のハードパックに受納されたり、ホットメルト樹脂を用いてモールドを通じて完成した外観を形成したりすることになる。
【０００４】
図１は、従来の二次電池の分解斜視図であり、図２は、従来の二次電池の正面から見た上部断面図である。
【０００５】
図１及び図２を参照しながら従来のベアセル状態の二次電池の形成方法を説明すると、略直六面体で形成される角形缶１１と、この缶１１の内部に受容される電極組立体１２と、缶１１の開放された上段と結合して缶の上段を封入するキャップ組立体とを備えてなされる。
【０００６】
電極組立体１２は、薄板形、または、膜形で形成された第１電極１３、セパレータ１４及び第２電極１５の積層体形態で、または、その積層体を巻取して形成する。
【０００７】
第１電極１３を正極という時、正極内で正極活物質層が形成されていない正極集電体の領域に正極タブ１６が電気的に連結されている。負極１５にも負極活物質層が形成されていない負極集電体の領域に負極タブ１７が接続されている。
【０００８】
正極１３及び負極１５と、タブら１６、１７は極性を異にして配置されることもでき、タブら１６、１７が電極組立体１２から引出される境界部にはタブと２つの電極１３、１５間の短絡を防止するために絶縁テープ１８が各々巻き取られることができる。
【０００９】
セパレータ１４は、正極及び負極１３、１５より幅を広くして形成することが電極間の短絡を防止することに有利である。
【００１０】
缶１１は、略直六面体の形状を有するアルミニウム、または、アルミニウム合金で形成される。缶１１の開放された上段を通じて電極組立体１２が受容され、缶１１は電極組立体及び電解液の容器の役割をすることになる。缶１１はそれ自体が端子の役割を遂行することができる。
【００１１】
キャップ組立体には缶１１の開放された上段に対応する大きさと形状を有する平板型の導電性キャッププレート１１０が設けられている。キャッププレート１１０の中央部には電極端子１３０が通過できるように端子用通孔１１１が形成される。キャッププレート１１０の中央部を貫通する電極端子１３０とキャップ プレート１１０との間には電気的絶縁のためにチューブ形状のガスケット１２０が設けられる。
【００１２】
導電性キャッププレート１１０の下面に絶縁プレート１４０が配置されている。絶縁プレート１４０の下面には端子プレート１５０が設けられている。電極端子１３０の底面部は端子プレート１５０と電気的に連結されている。
【００１３】
キャッププレート１１０の下面には正極１３から引出された正極タブ１６が熔接されており、電極端子１３０の下段部には負極１５から引出された負極タブ１７が多数回折り畳まれた状態で熔接される。
【００１４】
一方、電極組立体１２の上面には電極組立体１２とキャップ組立体との電気的絶縁のために、かつ、前記電極組立体１２の上段部をカバーできるように、絶縁ケース１９０が設けられる。絶縁ケース１９０は絶縁性を有する高分子樹脂、たとえば、ポリプロピレンからなることが好ましい。絶縁ケース１９０の中央部には負極タブ１７が通過できるようにリード通孔１９１が形成され、他側方には電解液通過孔１９２が形成されている。電解液通過孔は別途に形成されないこともある。
【００１５】
キャッププレート１１０の一側には電解液注入孔１１２が形成され、電解液が注入された後に、電解液注入孔を密閉させるために栓１６０が設けられる。栓１６０は、アルミニウムやアルミニウム含有金属で作ったボール型母材を電解液注入孔１１２上に置いて、機械的に電解液注入孔１１２に圧入して形成する。封入のため、栓１６０は電解液注入孔１１２の周りでキャッププレート１１０に熔接される。キャップ組立体はキャッププレート１１０周り部を缶１１の開口部の側壁に熔接して缶に結合する。
【００１６】
ところが、二次電池の軽量化及び高容量化の要求によって、より多くの電池容量を有し、かつ、既存より小さいか、既存の製品と同一の体積を有する電池を開発することが続けて求められる。図２を通じて考察した従来の角形リチウムイオン二次電池では電極組立体のタブをキャッププレートに連結するために相当部分の空いている空間を有している。
【００１７】
このような空いている空間は、既存の電池の構成上、安全と不良回避のための不可避なものであるが、電池の容量の観点から見ると、不必要な空間と言える。従って、構造上、安全の問題の問題に悪影響を与えることなく、かつ、既存の二次電池の空いている空間を電池容量の拡大のために用いられる方法や電池構造の開発が求められる。
【発明の開示】
【発明が解決しようとする課題】
【００１８】
本発明は、上述の従来の二次電池構造の問題点を解決するためのものであって、電極組立体のタブとキャッププレートとの電気の連結のための缶内部空間が極小化された二次電池を提供することを目的とする。
【００１９】
本発明は、また、既存の二次電池に比べて加工が容易であり、工程時間を減少させることができる二次電池を提供することを目的とする。
【００２０】
本発明は、缶型二次電池の構造を簡単化し、部品数を減らすことができる構成の二次電池を提供することを目的とする。
【課題を解決するための手段】
【００２１】
前記の目的の達成のために、本発明に係る二次電池は、両電極及びセパレータを備えてなされる電極組立体と、電極組立体を受容できるように上部に開口部が形成された絶縁性または金属性缶と、電極組立体が外部に離脱しないように絶縁性または金属性缶の開口部を閉塞する絶縁性キャッププレートとを含む。
【００２２】
ここで、前記絶縁性または金属性缶及び絶縁性キャッププレートは、プラスチック、エンジニアリングプラスチック、または、その等価物で形成されることができる。
【００２３】
また、前記電極組立体には、両電極に一端が連結され、他端は上部方向に一定の長さが延びた電極タブが更に備えられており、前記絶縁性キャッププレートには前記電極タブが貫通して外部に一定の長さが突出できるように一定の大きさのホールが更に形成されることができる。
【００２４】
また、前記絶縁性キャッププレートには電解液注入口が形成され、前記電解液注入口はプラスチック材質の栓で閉塞されることができる。
【発明の効果】
【００２５】
上記のようにして、本発明に係る二次電池は、電極組立体の電極タブと缶、または、キャッププレートとのショートを防止するための絶縁ケースが除去されることにより、それだけ電極組立体の高さを更に向上させることができ、これによって電池容量も増加する。
【００２６】
また、本発明は、絶縁ケースが除去されると共に、電極タブとキャッププレートとの間の熔接工程も省略できることにより、工程時間が短縮され、また、製造コストも低減する。
【００２７】
合せて、本発明は、缶及びキャッププレートの材質が全てプラスチック系列に変更され、また、従来のキャップアセンブリの構成要素が大幅に縮小できることにより、工程時間及び製造コストが低減するだけでなく、重さもだいぶ軽くなる。
【００２８】
以上、説明したことは、本発明に係る二次電池を実施するための一実施の形態に過ぎないものであって、本発明は、前記の実施の形態に限るのではなく、以下の特許請求範囲から請求するように、本発明の要旨を外れない範囲で、当該発明が属する分野で通常の知識を有する者であれば誰でも多様な変更実施が可能な範囲まで本発明の技術的精神があるとするはずである。
【発明を実施するための最良の形態】
【００２９】
以下、本発明が属する技術分野で通常の知識を有する者が本発明を容易に実施できる程度に本発明の好ましい実施の形態を添付の図面を参照しながら詳細に説明すると、次の通りである。
【００３０】
図３を参照すると、本発明に係る二次電池の分解断面図が図示されており、図４を参照すると、本発明に係る二次電池において、キャッププレートの平面図が図示されている。
【００３１】
図３及び図４を参照しながら本発明に係る二次電池の形成方法を説明すると、ベアセル状態の角形リチウムイオン電池は、略直六面体で形成される角形の絶縁性缶１１と、この絶縁性缶１１の内部に受容される電極組立体２２と、絶縁性缶１１の開放された上段と結合して缶の上段を封入する絶縁性キャッププレート２００とを備えてなされる。
【００３２】
電極組立体２２は薄板型、または、膜型で形成された正極１３、セパレータ１４及び負極１５の積層体を渦型で巻取して形成する。巻取時の正極及び負極間の短絡を防止するために負極の外側にはセパレータが更に追加される。
【００３３】
正極１３は、導電性の優れる金属薄板、例えば、アルミニウムホイルからなる正極集電体と、その両面にコーティングされたリチウム系酸化物を主成分とする正極活物質層を含んでいる。正極１３には正極活物質層が形成されていない正極集電体の領域に電極タブ（例えば、正極タブ）１６が電気的に連結されている。
【００３４】
負極１５は、伝導性の金属薄板、例えば、銅ホイルからなる負極集電体と、その両面にコーティングされた炭素材を主成分とする負極活物質層とを含んでいる。負極１５にも負極活物質層が形成されていない負極集電体の領域に電極タブ（例えば、負極タブ）１７が接続されている。
【００３５】
ここで、正極１３及び負極１５と、タブら１６、１７は極性を異にして配置されることもでき、タブら１６、１７が電極組立体２２から引出される境界部にはタブ１６、１７と両電極１３、１５との間の短絡を防止するために絶縁テープが各々巻かれる。 
【００３６】
セパレータ１４は、また、ポリエチレンやポリプロピレンやポリエチレンとポリプロピレンの共重合体（ｃｏ−ｐｏｌｙｍｅｒ）からなる。セパレータ１４は、正極１３及び負極１３より幅を広くして形成することが電極間の短絡を防止することに有利である。 
【００３７】
缶１１は、略直六面体の形状を有する絶縁体、例えば、プラスチック、エンジニアリングプラスチック、または、その等価物で形成可能であるが、ここに、その材質を限るのではない。このような絶縁性缶１１の開放された上段を通じて電極組立体２２が受容されて絶縁性缶１１は電極組立体及び電解液の容器の役割をすることになる。このように、本発明は、缶１１自体が絶縁性であるから、従来のような端子の役割を遂行することはできない。また、本発明は、開口部が形成された缶１１の上段の段差１９が形成されており、下記のキャッププレート２００は前記段差１９に堅く結合可能になっている。
【００３８】
キャッププレート２００は、絶縁性缶１１の開放された上段に対応する大きさと形状を有する絶縁性平板形態で設けられている。このようなキャッププレート２００は非金属絶縁材質、たとえ、プラスチック、エンジニアリングプラスチック、または、その等価物で形成可能であるが、ここに、その材質を限るのではない。
【００３９】
キャッププレート２００には電極組立体２２の電極タブ（例えば、正極タブ及び負極タブ）１６、１７が通過できるように連結ホール２１０が形成され、また、電解液注入のための電解液注入口２３０も形成される。合せて、このようなキャッププレート２００は、前記缶１１の上段に形成された段差１９に結合した後、接着剤、または、熱融着方法により缶１１に堅く固定される。
【００４０】
また、前記キャッププレート２００を貫通するタブ１６、１７とキャッププレート２００との間の隙間からは電解液が漏液してしまうので、このような隙間はタブをなす金属と結合性の良いプラスチック材質の熔接棒で熔接して埋め込むこともできる。しかし、キャッププレートと缶の開口部とを接着させた接着剤、または、接着性を有する充填材でその隙間を埋め込むことが加工性の面で好ましい。
【００４１】
従来、キャッププレート２００の下面にあった絶縁プレート、端子プレート、電極端子、ガスケット等は本発明では必要でないので除去される。また、電極タブが多数回折り曲げられて内部に熔接されなくて、真直ぐに伸びて引出できるので、電極組立体上に置かれていたＰＰ（ｐｏｌｙｐｒｏｐｙｌｅｎｅ）ケース、または、絶縁ケースも省略されることができる。
【００４２】
従って、本発明は、前記除去された構成要素だけ電極組立体２２の高さを一層高めることができ、これによって、電池容量の向上が可能になる。勿論、前記のような構成要素の除去によって組立工程が単純になることは勿論、製造コストも低減する。更に、金属性の缶及びキャッププレートの代わりにプラスチック系列の缶及びキャッププレートを用いることにより、その重さは一層軽くなる。
【００４３】
一方、電解液を注入する電解液注入口２３０はアルミニウムボールを圧入し、熔接して仕上げるよりは、プラスチック栓２２０で仕上げることができるように段差を置いて形成されている。栓を塞ぐ時は封入力を高めるために接着剤が使われ、栓と電解液注入口にねじ山を形成してねじ結合させることも可能である。接着剤の代わりにプラスチック熔接が用いられることもある。絶縁ケースがないので、電解液注入もより速かになされることができる。
【００４４】
図５を参照すると、本発明に係る二次電池において保護回路基板を接続する状態が示されている。
【００４５】
図５に図示された二次電池の形成方法は、図３ないし図４に図示された実施の形態における説明と類似している。ただ、キャッププレート２００と缶１１の開口部とを結合させることは接着剤２４０で行っており、電極タブ１６、１７が引出されるように形成されたキャッププレート２００のホールと電極タブとの間の隙間を封入することも接着剤２５０で行っている。
【００４６】
キャッププレートのホールを通じて引出される電極タブ１６、１７は、それ自体で保護回路基板３００のリードプレート３２０と熔接などの方法により結合する。図面符号３１０は外部入出力端子を示す。
【００４７】
このような構成において、後続的に、保護回路基板とベアセルとが結合したコアセル状態で二次電池はモールドに装着される。モールド内にホットメルト樹脂が注入され、冷却、または、硬化により保護回路基板とベアセルとが隙間なしに結合して外観が完成されたハードパック状態の電池をなすことになる。
【００４８】
以上の実施の形態で使われることができるプラスチックとしては、金属との熔接性、加工性の優れるエンジニアリングプラスチック類を使用することが好ましい。最近開発されたエンジニアリングプラスチックは、アルミニウムより軽く、高い機械的強度を維持できるもの等があり、接着剤は電解質により分解したり変性されたりしないように、耐化学性、耐熱性を有するものを使用することが好ましい。
【００４９】
たとえば、絶縁性缶とキャッププレートとが接する所を密着させる接着剤としてはエポキシなどを使うことができる。その際、エポキシは加工効率を上げるために硬化時間を短くすることが好ましい。
【００５０】
また、以上の例では、絶縁性缶１１を使用する場合を例示したが、金属性缶を使用することもできる。
【００５１】
そして、以上の例ではキャッププレートに電極タブの引出のための中央ホールを形成する形態を表したが、キャッププレートの周り部にタブの引出のための溝を形成し、キャッププレートと缶の開口部とが会う所に、この溝により電極タブの引出しのためのホールが形成される効果を有する他の本発明の実施の形態を提示することも可能である。
【産業上の利用可能性】
【００５２】
本発明は、二次電池の小型化におおいに寄与することができる。
【図面の簡単な説明】
【００５３】
【図１】従来の二次電池を示す分解斜視図である。
【図２】従来の二次電池を示す断面図である。
【図３】本発明の一実施の形態をなす二次電池を示す分解断面図である。
【図４】本発明の一実施の形態をなす二次電池において、キャッププレートを示す平面図である。
【図５】本発明に係る二次電池において、保護回路基板が接続される状態を示す工程断面図である。
【図６】本発明の一実施の形態をなす二次電池を示す斜視図である。
【符号の説明】
【００５４】
１１    缶、
２２    電極組立体、
２００    キャッププレート、
２１０    連結ホール、
２２０    栓、
２３０    電解液注入口、
２４０、２５０    接着剤。
【図１】
2006128126.tif 000003
【図２】
2006128126.tif 000004
【図３】
2006128126.tif 000005
【図４】
2006128126.tif 000006
【図５】
2006128126.tif 000007
【図６】
2006128126.tif 000008
【手続補正書】
【提出日】平成17年11月4日(2005.11.4)
【手続補正１】
【補正対象書類名】明細書
【補正対象項目名】全文
【補正方法】変更
【補正の内容】
【発明の詳細な説明】
【技術分野】
【０００１】
本発明は、二次電池に関し、より詳細には、容積対比電気容量を向上させることができる二次電池に関する。
【背景技術】
【０００２】
二次電池は、再充電可能であり、小型及び大容量化が可能であることから、最近では多くの研究開発が成されている。最近開発され使われているものの代表としては、ニッケル水素（Ｎｉ−ＭＨ）電池、リチウム（Ｌｉ）電池及びリチウムイオン（Ｌｉ−ｉｏｎ）電池などがある。
【０００３】
これら二次電池の大部分は、電極（即ち、正極及び負極）及びセパレータからなる電極組立体を、通常、アルミニウム、または、アルミニウム合金からなる缶に受納し、缶をキャップ組立体で仕上げた後、缶の内部に電解液を注入し、封入することにより形成される。缶は鉄材で形成されることができるが、アルミニウム、または、アルミニウム合金で形成することになると、アルミニウムの重量は軽いことから、電池の軽量化がなされることができ、高電圧下で長時間使用しても腐食しない等の利点がある。
【０００４】
封入した単位セルは、ＰＴＣ素子（ｐｏｓｉｔｉｖｅ  ｔｅｍｐｅｒａｔｕｒｅ  ｃｏｅｆｆｉｃｉｅｎｔ）、サーマルフューズ（ｔｈｅｒｍａｌ  ｆｕｓｅ）及び保護回路基板（ＰＣＭ：Ｐｒｏｔｅｃｔｉｖｅ  Ｃｉｒｃｕｉｔ  Ｍｏｄｕｌｅ）などの安全装置及びその他、電池附属らと連結された状態で別途のハードパックに受納されたり、ホットメルト樹脂を用いてモールドを通じて完成した外観を形成したりすることになる。
【０００５】
図１は、従来の二次電池の分解斜視図であり、図２は、従来の二次電池の正面から見た上部断面図である。
【０００６】
図１及び図２を参照しながら従来のベアセル状態の二次電池の形成方法を説明すると、略直六面体で形成される角形缶１１と、この缶１１の内部に受容される電極組立体１２と、缶１１の開放された上段と結合して缶の上段を封入するキャップ組立体とを備えてなされる。
【０００７】
電極組立体１２は、薄板形、または、膜形で形成された第１電極１３、セパレータ１４及び第２電極１５の積層体形態で、または、その積層体を巻取して形成する。
【０００８】
第１電極１３を正極という時、正極内で正極活物質層が形成されていない正極集電体の領域に正極タブ１６が電気的に連結されている。負極１５にも負極活物質層が形成されていない負極集電体の領域に負極タブ１７が接続されている。
【０００９】
正極１３及び負極１５と、タブら１６、１７は極性を異にして配置されることもでき、タブら１６、１７が電極組立体１２から引出される境界部にはタブと２つの電極１３、１５間の短絡を防止するために絶縁テープ１８が各々巻き取られることができる。
【００１０】
セパレータ１４は、正極及び負極１３、１５より幅を広くして形成することが電極間の短絡を防止することに有利である。
【００１１】
缶１１は、略直六面体の形状を有するアルミニウム、または、アルミニウム合金で形成される。缶１１の開放された上段を通じて電極組立体１２が受容され、缶１１は電極組立体及び電解液の容器の役割をすることになる。缶１１はそれ自体が端子の役割を遂行することができる。
【００１２】
キャップ組立体には缶１１の開放された上段に対応する大きさと形状を有する平板型の導電性キャッププレート１１０が設けられている。キャッププレート１１０の中央部には電極端子１３０が通過できるように端子用通孔１１１が形成される。キャッププレート１１０の中央部を貫通する電極端子１３０とキャップ プレート１１０との間には電気的絶縁のためにチューブ形状のガスケット１２０が設けられる。
【００１３】
導電性キャッププレート１１０の下面に絶縁プレート１４０が配置されている。絶縁プレート１４０の下面には端子プレート１５０が設けられている。電極端子１３０の底面部は端子プレート１５０と電気的に連結されている。
【００１４】
キャッププレート１１０の下面には正極１３から引出された正極タブ１６が熔接されており、電極端子１３０の下段部には負極１５から引出された負極タブ１７が多数回折り畳まれた状態で熔接される。
【００１５】
一方、電極組立体１２の上面には電極組立体１２とキャップ組立体との電気的絶縁のために、かつ、前記電極組立体１２の上段部をカバーできるように、絶縁ケース１９０が設けられる。絶縁ケース１９０は絶縁性を有する高分子樹脂、たとえば、ポリプロピレンからなることが好ましい。絶縁ケース１９０の中央部には負極タブ１７が通過できるようにリード通孔１９１が形成され、他側方には電解液通過孔１９２が形成されている。電解液通過孔は別途に形成されないこともある。
【００１６】
キャッププレート１１０の一側には電解液注入孔１１２が形成され、電解液が注入された後に、電解液注入孔を密閉させるために栓１６０が設けられる。栓１６０は、アルミニウムやアルミニウム含有金属で作ったボール型母材を電解液注入孔１１２上に置いて、機械的に電解液注入孔１１２に圧入して形成する。封入のため、栓１６０は電解液注入孔１１２の周りでキャッププレート１１０に熔接される。キャップ組立体はキャッププレート１１０周り部を缶１１の開口部の側壁に熔接して缶に結合する。
【００１７】
ところが、二次電池の軽量化及び高容量化の要求によって、より多くの電池容量を有し、かつ、既存より小さいか、既存の製品と同一の体積を有する電池を開発することが続けて求められる。図２を通じて考察した従来の角形リチウムイオン二次電池では電極組立体のタブをキャッププレートに連結するために相当部分の空いている空間を有している。
【００１８】
このような空いている空間は、既存の電池の構成上、安全と不良回避のための不可避なものであるが、電池の容量の観点から見ると、不必要な空間と言える。従って、構造上、安全の問題の問題に悪影響を与えることなく、かつ、既存の二次電池の空いている空間を電池容量の拡大のために用いられる方法や電池構造の開発が求められる。
【発明の開示】
【発明が解決しようとする課題】
【００１９】
本発明は、上述の従来の二次電池構造の問題点を解決するためのものであって、電極組立体のタブとキャッププレートとの電気の連結のための缶内部空間が極小化された二次電池を提供することを目的とする。
【００２０】
本発明は、また、既存の二次電池に比べて加工が容易であり、工程時間を減少させることができる二次電池を提供することを目的とする。
【００２１】
本発明は、缶型二次電池の構造を簡単化し、部品数を減らすことができる構成の二次電池を提供することを目的とする。
【課題を解決するための手段】
【００２２】
前記の目的の達成のために、本発明に係る二次電池は、両電極及びセパレータを備えてなされる電極組立体と、電極組立体を受容できるように上部に開口部が形成された絶縁性または金属性缶と、電極組立体が外部に離脱しないように絶縁性または金属性缶の開口部を閉塞する絶縁性キャッププレートとを含む。
【００２３】
ここで、前記絶縁性または金属性缶及び絶縁性キャッププレートは、プラスチック、エンジニアリングプラスチック、または、その等価物で形成されることができる。
【００２４】
また、前記電極組立体には、両電極に一端が連結され、他端は上部方向に一定の長さが延びた電極タブが更に備えられており、前記絶縁性キャッププレートには前記電極タブが貫通して外部に一定の長さが突出できるように一定の大きさのホールが更に形成されることができる。
【００２５】
また、前記絶縁性キャッププレートには電解液注入口が形成され、前記電解液注入口はプラスチック材質の栓で閉塞されることができる。
【発明の効果】
【００２６】
上記のようにして、本発明に係る二次電池は、電極組立体の電極タブと缶、または、キャッププレートとのショートを防止するための絶縁ケースが除去されることにより、それだけ電極組立体の高さを更に向上させることができ、これによって電池容量も増加する。
【００２７】
また、本発明は、絶縁ケースが除去されると共に、電極タブとキャッププレートとの間の熔接工程も省略できることにより、工程時間が短縮され、また、製造コストも低減する。
【００２８】
合せて、本発明は、缶及びキャッププレートの材質が全てプラスチック系列に変更され、また、従来のキャップアセンブリの構成要素が大幅に縮小できることにより、工程時間及び製造コストが低減するだけでなく、重さもだいぶ軽くなる。
【００２９】
以上、説明したことは、本発明に係る二次電池を実施するための一実施の形態に過ぎないものであって、本発明は、前記の実施の形態に限るのではなく、以下の特許請求範囲から請求するように、本発明の要旨を外れない範囲で、当該発明が属する分野で通常の知識を有する者であれば誰でも多様な変更実施が可能な範囲まで本発明の技術的精神があるとするはずである。
【発明を実施するための最良の形態】
【００３０】
以下、本発明が属する技術分野で通常の知識を有する者が本発明を容易に実施できる程度に本発明の好ましい実施の形態を添付の図面を参照しながら詳細に説明すると、次の通りである。
【００３１】
図３を参照すると、本発明に係る二次電池の分解断面図が図示されており、図４を参照すると、本発明に係る二次電池において、キャッププレートの平面図が図示されている。
【００３２】
図３及び図４を参照しながら本発明に係る二次電池の形成方法を説明すると、ベアセル状態の角形リチウムイオン電池は、略直六面体で形成される角形の絶縁性缶１１と、この絶縁性缶１１の内部に受容される電極組立体２２と、絶縁性缶１１の開放された上段と結合して缶の上段を封入する絶縁性キャッププレート２００とを備えてなされる。
【００３３】
電極組立体２２は薄板型、または、膜型で形成された正極１３、セパレータ１４及び負
極１５の積層体を渦型で巻取して形成する。巻取時の正極及び負極間の短絡を防止するために負極の外側にはセパレータが更に追加される。
【００３４】
正極１３は、導電性の優れる金属薄板、例えば、アルミニウムホイルからなる正極集電体と、その両面にコーティングされたリチウム系酸化物を主成分とする正極活物質層を含んでいる。正極１３には正極活物質層が形成されていない正極集電体の領域に電極タブ（例えば、正極タブ）１６が電気的に連結されている。
【００３５】
負極１５は、伝導性の金属薄板、例えば、銅ホイルからなる負極集電体と、その両面にコーティングされた炭素材を主成分とする負極活物質層とを含んでいる。負極１５にも負極活物質層が形成されていない負極集電体の領域に電極タブ（例えば、負極タブ）１７が接続されている。
【００３６】
ここで、正極１３及び負極１５と、タブら１６、１７は極性を異にして配置されることもでき、タブら１６、１７が電極組立体２２から引出される境界部にはタブ１６、１７と両電極１３、１５との間の短絡を防止するために絶縁テープが各々巻かれる。 
【００３７】
セパレータ１４は、また、ポリエチレンやポリプロピレンやポリエチレンとポリプロピレンの共重合体（ｃｏ−ｐｏｌｙｍｅｒ）からなる。セパレータ１４は、正極１３及び負極１３より幅を広くして形成することが電極間の短絡を防止することに有利である。 
【００３８】
缶１１は、略直六面体の形状を有する絶縁体、例えば、プラスチック、エンジニアリングプラスチック、または、その等価物で形成可能であるが、ここに、その材質を限るのではない。このような絶縁性缶１１の開放された上段を通じて電極組立体２２が受容されて絶縁性缶１１は電極組立体及び電解液の容器の役割をすることになる。このように、本発明は、缶１１自体が絶縁性であるから、従来のような端子の役割を遂行することはできない。また、本発明は、開口部が形成された缶１１の上段の段差１９が形成されており、下記のキャッププレート２００は前記段差１９に堅く結合可能になっている。
【００３９】
キャッププレート２００は、絶縁性缶１１の開放された上段に対応する大きさと形状を有する絶縁性平板形態で設けられている。このようなキャッププレート２００は非金属絶縁材質、たとえ、プラスチック、エンジニアリングプラスチック、または、その等価物で形成可能であるが、ここに、その材質を限るのではない。
【００４０】
キャッププレート２００には電極組立体２２の電極タブ（例えば、正極タブ及び負極タブ）１６、１７が通過できるように連結ホール２１０が形成され、また、電解液注入のための電解液注入口２３０も形成される。合せて、このようなキャッププレート２００は、前記缶１１の上段に形成された段差１９に結合した後、接着剤、または、熱融着方法により缶１１に堅く固定される。
【００４１】
また、前記キャッププレート２００を貫通するタブ１６、１７とキャッププレート２００との間の隙間からは電解液が漏液してしまうので、このような隙間はタブをなす金属と結合性の良いプラスチック材質の熔接棒で熔接して埋め込むこともできる。しかし、キャッププレートと缶の開口部とを接着させた接着剤、または、接着性を有する充填材でその隙間を埋め込むことが加工性の面で好ましい。
【００４２】
従来、キャッププレート２００の下面にあった絶縁プレート、端子プレート、電極端子、ガスケット等は本発明では必要でないので除去される。また、電極タブが多数回折り曲げられて内部に熔接されなくて、真直ぐに伸びて引出できるので、電極組立体上に置かれていたＰＰ（ｐｏｌｙｐｒｏｐｙｌｅｎｅ）ケース、または、絶縁ケースも省略されることができる。
【００４３】
従って、本発明は、前記除去された構成要素だけ電極組立体２２の高さを一層高めることができ、これによって、電池容量の向上が可能になる。勿論、前記のような構成要素の除去によって組立工程が単純になることは勿論、製造コストも低減する。更に、金属性の缶及びキャッププレートの代わりにプラスチック系列の缶及びキャッププレートを用いることにより、その重さは一層軽くなる。
【００４４】
一方、電解液を注入する電解液注入口２３０はアルミニウムボールを圧入し、熔接して仕上げるよりは、プラスチック栓２２０で仕上げることができるように段差を置いて形成されている。栓を塞ぐ時は封入力を高めるために接着剤が使われ、栓と電解液注入口にねじ山を形成してねじ結合させることも可能である。接着剤の代わりにプラスチック熔接が用いられることもある。絶縁ケースがないので、電解液注入もより速かになされることができる。
【００４５】
図５を参照すると、本発明に係る二次電池において保護回路基板を接続する状態が示されている。
【００４６】
図５に図示された二次電池の形成方法は、図３ないし図４に図示された実施の形態における説明と類似している。ただ、キャッププレート２００と缶１１の開口部とを結合させることは接着剤２４０で行っており、電極タブ１６、１７が引出されるように形成されたキャッププレート２００のホールと電極タブとの間の隙間を封入することも接着剤２５０で行っている。
【００４７】
キャッププレートのホールを通じて引出される電極タブ１６、１７は、それ自体で保護回路基板３００のリードプレート３２０と熔接などの方法により結合する。図面符号３１０は外部入出力端子を示す。
【００４８】
このような構成において、後続的に、保護回路基板とベアセルとが結合したコアセル状態で二次電池はモールドに装着される。モールド内にホットメルト樹脂が注入され、冷却、または、硬化により保護回路基板とベアセルとが隙間なしに結合して外観が完成されたハードパック状態の電池をなすことになる。
【００４９】
以上の実施の形態で使われることができるプラスチックとしては、金属との熔接性、加工性の優れるエンジニアリングプラスチック類を使用することが好ましい。最近開発されたエンジニアリングプラスチックは、アルミニウムより軽く、高い機械的強度を維持できるもの等があり、接着剤は電解質により分解したり変性されたりしないように、耐化学性、耐熱性を有するものを使用することが好ましい。
【００５０】
たとえば、絶縁性缶とキャッププレートとが接する所を密着させる接着剤としてはエポキシなどを使うことができる。その際、エポキシは加工効率を上げるために硬化時間を短くすることが好ましい。
【００５１】
また、以上の例では、絶縁性缶１１を使用する場合を例示したが、金属性缶を使用することもできる。
【００５２】
そして、以上の例ではキャッププレートに電極タブの引出のための中央ホールを形成する形態を表したが、キャッププレートの周り部にタブの引出のための溝を形成し、キャッププレートと缶の開口部とが会う所に、この溝により電極タブの引出しのためのホールが形成される効果を有する他の本発明の実施の形態を提示することも可能である。
【産業上の利用可能性】
【００５３】
本発明は、二次電池の小型化におおいに寄与することができる。
【図面の簡単な説明】
【００５４】
【図１】従来の二次電池を示す分解斜視図である。
【図２】従来の二次電池を示す断面図である。
【図３】本発明の一実施の形態をなす二次電池を示す分解断面図である。
【図４】本発明の一実施の形態をなす二次電池において、キャッププレートを示す平面図である。
【図５】本発明に係る二次電池において、保護回路基板が接続される状態を示す工程断面図である。
【図６】本発明の一実施の形態をなす二次電池を示す斜視図である。
【符号の説明】
【００５５】
１１    缶、
２２    電極組立体、
２００    キャッププレート、
２１０    連結ホール、
２２０    栓、
２３０    電解液注入口、
２４０、２５０    接着剤。